(57)【要約】【課題】従来の地下立体駐輪場のような大規模な施工を必要とせず、また高度な入出庫装置なしに、歩道の地中に格納空間を構築し、自転車の格納状態で、歩道上に障害物がなく往来できるとともに、路面上に広告を付けることができる駐輪装置の提供。【解決手段】地中に埋設した構造体を格納空間とし、構造体に自転車を昇降移送するための車体運搬機を取り付ける。車体運搬機が上昇すると、車体運搬機が地上部分に露出し、車台が地上面と同じ高さで接地するので、容易に自転車を据え置くことができる構造である。天蓋は車体運搬機の昇降によって自動的に開閉し、車体運搬機の降下によって、天蓋が閉鎖すると、天蓋が駐輪設備の蓋となり、地上面との段差がなくなる。天蓋が閉鎖した状態では、駐輪装置が路面地下に隠蔽され、駐輪装置上の路面の往来ができる。さらに、天蓋の地上側表面には装飾板が取り付けられ、装飾板は広告または装飾として利用できる構成である。【選択図】図１
2004339905.tif 000002
【特許請求の範囲】
【請求項１】
地中に埋設した構造体を格納空間とし、前記構造体に昇降移送するための車体運搬機を取り付け、車体運搬機が上昇することにより、車体運搬機が地上部分に露出することとし、車体運搬機の地上部分への露出によって、車体運搬機の車台に自転車を据え置きできる構造であって、車体運搬機の昇降によって自動的に開閉する天蓋を取り付け、車体運搬機の降下によって、天蓋が閉鎖し、天蓋の閉鎖によって地表面との段差がなくなり、天蓋表面上の交通の往来ができることを特徴とする、地下格納式の駐輪装置。
【請求項２】
前記構造体の地上側天蓋は閉鎖時には地表面と段差がなく、天蓋上を、交通に支障を来すことなく往来でき、天蓋の地上側表面には広告装飾板が取り付けられていることを特徴とする請求項１記載の地下格納式の駐輪装置。
【発明の詳細な説明】
【０００１】
【産業上の利用分野】本発明は駅や店舗の前、繁華街等の歩道、路上等交通の往来がある路面の地中に埋設し、かつ路面を広告板等で装飾し、広告事業の収入によって設備設置、維持費を一部または全部まかなうための駐輪機に関するものである。
【０００２】
【従来の技術】駅や店舗に自転車で行った場合、自転車を駐輪するためには駐輪場を利用することが望ましいが、駐輪場がない、または駅や店舗から遠いなどの理由によって、本来駐輪すべきでない駅前広場、歩道や店舗先などに放置されているのが現状である。歩道などに放置された自転車は歩行、交通の妨げになり社会問題となっている。少しでも便利な場所、この場合利用先の駅や店舗に近い場所に駐輪したいという自転車利用者の欲求は押さえることが難しい。
【０００３】そこで、従来は上記のような状態を回避するために、大規模駐輪を目的として、駅前などの広場の地下を掘削し、地下に多段式または多階式の地下埋設型駐輪場を施工していた。
【０００４】
【発明が解決しようとする課題】ところが、上記のような駐輪場は深く掘削を必要とし、施工費用が高く、強度の耐久力が必要で、高度な施工技術を必要とする。さらに、自転車の入出庫のために、地上に突起した入出庫ゲートやエレベータなどの集中入出庫設備が必要であり、入出庫設備の能力によって入出庫効率が左右される。
【０００５】また、従来の駐輪場は設備の設置、維持費用を利用者から徴収していたが、費用をすべて賄おうとすると料金が高額になり利用者が減ってしまい放置自転車対策にならず、一方、利用者を増やすために利用料金を低価格にすると費用が賄えず赤字になってしまっていた。
【０００６】そこで、本発明は地下に１台ずつ駐輪する駐輪装置を設置することとし、自転車１台の高さ分だけの掘削であるため、施工費用が廉価で、高度な施工技術を要せずに設置できるものである。集中入出庫設備を必要としないため、集中入出庫設備の能力によって、入出庫効率が左右されないことを目的とする。
【０００７】しかも、駐輪装置の地上露出部分が路面と段差がないことによって、その上の交通の往来を阻害することなく、かつ地上露出分を広告板などによって装飾することによって、広告事業による収入を得ることができ、広告事業による収入を設備の設置、維持費用の一部または全部とすることで、駐輪場利用者の費用負担を軽減することを目的とする。
【０００８】
【課題を解決するための手段】本発明は地中に埋設した構造体を格納空間とし、構造体に自転車を昇降移送するための車体運搬機を取り付ける。車体運搬機が上昇すると、車体運搬機が地上部分に露出し、車台が地上面と同じ高さで接地するので、容易に自転車を据え置くことができる構造である。車体運搬機の昇降によって自動的に開閉する天蓋を取り付け、車体運搬機の降下とともに天蓋が閉鎖すると、天蓋が駐輪設備の蓋となり、地上面との段差がなくなる。車体運搬機が下降し、天蓋が閉鎖した状態では、駐輪装置が路面地下に隠蔽され、駐輪装置上の路面の往来ができる構成である。
【０００９】さらに、前記構造体の天蓋の地上側表面には装飾板が取り付けられ、装飾板は広告または装飾として利用できる構成である。
【００１０】
【発明の実施の形態】図１は本発明の実施形態の地下格納型の駐輪装置に自転車を駐輪装置に配置した状態を示す斜視図、図２は自転車を駐輪装置に格納し、天蓋を閉鎖した状態を示す斜視図、図３は自転車を駐輪装置に格納し、天蓋を閉鎖した状態で、複数の駐輪装置を並べ、天蓋表面に装飾板を取り付けた状態を示す斜視図である。
【００１１】図１において、路面４から格納装置５が地中に埋設されている。自転車３を駐輪するときには、天蓋１が開き、車台２が路面４の高さに上昇し、自転車３を車台２の上に置く。
【００１２】図２において、車台２の下降と連動して、天蓋１が閉まり、自転車３は格納装置５の中に格納する。天蓋１が閉まった状態では、天蓋１と路面４は段差がなくなる。
【００１３】図３において、天蓋１の表面に装飾版６を貼り付けている。天蓋１が閉まった状態で、装飾版６は路面表面に露出している。図３では格納装置５を複数機並べて設置している状態を示しているが、この状態では装飾版６も並べられ、全体で大きな装飾を構成している。
【００１４】
【発明の効果】請求項１の発明では、駐輪装置が１台から設置でき、駐輪装置が１台ずつの基本構成であるので、構成要素ごとに量産でき、したがって廉価に駐輪装置を供給できる。一方、複数台の駐輪装置を組み合わせることによって、規模の大小に応じて柔軟に施主の要望に応じることができる。また、駐輪装置は地下に格納され、格納状態では路面との高低差がなく、交通の往来を阻害しないため、歩道や店舗先、駅前広場などに施工できる。
【００１５】請求項２の発明では、請求項１の発明における天蓋部分を装飾板とすることによって、広告や装飾が貼り付けられる。天蓋部分に広告を貼り付けることによって、広告事業を営むことができ、広告事業による収入によって、駐輪設備利用者の費用負担を軽減できる。
【図面の簡単な説明】
【図１】本発明に係わる一実施例で、自転車を駐輪装置に配置した状態を示す斜視図である。
【図２】本発明に係わる一実施例で、自転車を駐輪装置に格納し、天蓋を閉鎖した状態を示す斜視図である。
【図３】本発明に係わる一実施例で、自転車を駐輪装置に格納し、天蓋を閉鎖した状態で、複数の駐輪装置を並べ、天蓋表面に装飾板を取り付けた状態を示す斜視図である。
【符号の説明】
１．天蓋
２．車台
３．自転車
４．路面
５．格納装置
６．装飾板
【図１】
2004339905.tif 000003
【図２】
2004339905.tif 000004
【図３】
2004339905.tif 000005